【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
複数のソース線と複数のソース入力端子とを備え、複数のソース線のそれぞれが前記複数のソース入力端子のうちのいずれかに接続されるように構成された表示パネルを駆動する表示ドライバであって、
前記表示パネルの前記ソース入力端子に接続されるソース出力端子と、
前記ソース入力端子に供給するソース信号を生成するソースドライバ回路と、
入力に接続された導電体の静電容量を検出するように構成された静電容量検出回路の前記入力に接続される接続配線と、
セレクタ
とを具備し、
前記静電容量検出回路は、検出された前記静電容量を示し、前記表示パネルに物体が接触するタッチイベントの検出に用いられる静電容量データを生成し、
前記セレクタは、前記ソースドライバ回路と前記接続配線とを含む複数の接続先のうちのいずれかに前記ソース出力端子を選択的に接続可能に構成された
表示ドライバ。
【請求項２】
前記セレクタは、前記表示パネルの前記ソース入力端子に前記ソース信号を供給する駆動動作が行われるときに前記ソース出力端子を前記ソースドライバ回路に接続し、前記タッチイベントの検出が行われるときに前記ソース出力端子を前記接続配線に接続する
請求項１に記載の表示ドライバ。
【請求項３】
前記表示パネルは、第１検出電極と第２検出電極とを含み、
前記静電容量検出回路は、前記第２検出電極に接続され、
当該表示ドライバは、更に、送信側ドライバを備え、
相互容量方式によって前記表示パネルに物体が接触するタッチイベントの検出を行う場合、前記送信側ドライバは、相互容量方式によって前記表示パネルに物体が接触するタッチイベントの検出を行う場合に前記第１検出電極に供給すべき駆動電圧を生成し、前記セレクタは、前記ソース出力端子を前記送信側ドライバに接続し、前記静電容量検出回路は、前記第１検出電極と前記第２検出電極の間の静電容量を検出して前記静電容量データを生成する
請求項１に記載の表示ドライバ。
【請求項４】
複数のソース線と、複数のソース入力端子とを備える表示パネルと、
前記複数のソース線に供給するソース信号を前記複数のソース入力端子に供給するソースドライバ回路と、
入力に接続された導電体の静電容量を検出し、検出した前記静電容量を示す静電容量データを生成する静電容量検出回路と、
前記静電容量データに基づいて前記表示パネルに物体が接触するタッチイベントの検出を行うコントローラと、
セレクタ
とを備え、
前記セレクタは、前記複数のソース入力端子のそれぞれを、前記ソースドライバ回路と前記静電容量検出回路の入力とを含む複数の接続先に選択的に接続可能に構成された
表示装置。
【請求項５】
前記表示パネルが、更に、
複数の共通電極と、
前記複数の共通電極の各共通電極と、前記複数のソース入力端子のうちの前記各共通電極に対応する少なくとも一の対応ソース入力端子との間に接続された第１スイッチ
とを備え、
前記ソース信号を前記ソース線に供給する駆動動作が行われる場合、前記セレクタが前記複数のソース入力端子を前記ソースドライバ回路に接続し、前記第１スイッチが前記各共通電極と前記複数のソース入力端子とを電気的に切り離し、
前記タッチイベントの検出が行われる場合、前記セレクタが前記複数のソース入力端子を前記静電容量検出回路の入力に接続し、前記第１スイッチが前記各共通電極と前記対応ソース入力端子とを電気的に接続する
請求項４に記載の表示装置。
【請求項６】
更に、共通電圧を生成する共通電圧生成回路を具備し、
前記表示パネルが、更に、
前記共通電圧を前記共通電圧生成回路から受け取る共通電圧入力端子と、
前記共通電圧入力端子と前記複数の共通電極との間にそれぞれに接続された第３スイッチ
とを備え、
前記駆動動作が行われる場合、前記第３スイッチが、前記複数の共通電極と前記共通電圧入力端子とを電気的に接続し、
前記タッチイベントの検出が行われる場合、前記第３スイッチが、前記複数の共通電極と前記共通電圧入力端子とを電気的に切り離す
請求項５に記載の表示装置。
【請求項７】
前記複数の共通電極が、複数の行及び複数の列に並んで配置されている
請求項５に記載の表示装置。
【請求項８】
前記表示パネルが、更に、前記ソース線が延伸する方向に延伸する複数の接続ラインを備え、
前記各共通電極は、前記複数の接続ラインのそれぞれが、前記複数の共通電極のうちの単一の共通電極に接続されるように、前記複数の接続ラインのうちの少なくとも一に接続され、
前記各共通電極と前記対応ソース入力端子の間に接続された前記第１スイッチが、前記複数の接続ラインのうち前記各共通電極が接続された接続ラインと前記対応ソース入力端子の間に接続されている
請求項７に記載の表示装置。
【請求項９】
更に、共通電圧を生成する共通電圧生成回路を具備し、
前記表示パネルが、更に、
前記共通電圧を前記共通電圧生成回路から受け取る共通電圧入力端子と、
前記共通電圧入力端子と前記複数の接続ラインとの間にそれぞれに接続された第３スイッチ
とを備え、
前記駆動動作が行われる場合、前記第３スイッチが、前記複数の共通電極と前記共通電圧入力端子とを電気的に接続し、
前記タッチイベントの検出が行われる場合、前記第３スイッチが、前記複数の共通電極と前記共通電圧入力端子とを電気的に切り離す
請求項８に記載の表示装置。
【請求項１０】
複数のソース線と、
表示ドライバから前記複数のソース線に供給されるソース信号を受け取る複数のソース入力端子と、
複数の共通電極と、
前記複数の共通電極の各共通電極と、前記複数のソース入力端子のうちの前記各共通電極に対応する少なくとも一の対応ソース入力端子との間に接続された第１スイッチ
とを具備する
表示パネル。
【請求項１１】
前記複数のソース線は、前記複数のソース入力端子に一対一に接続されており、
前記第１スイッチは、前記対応ソース入力端子に接続されたソース線の前記複数のソース入力端子に近い第１端に接続され、
当該表示パネルが、更に、
前記各共通電極に対応する前記対応ソース入力端子に接続されたソース線の前記複数のソース入力端子から離れた第２端と前記各共通電極との間に接続された第２スイッチを備える
請求項１０に記載の表示パネル。
【請求項１２】
更に、
共通電圧を表示ドライバから受け取る共通電圧入力端子と、
前記共通電圧入力端子と前記複数の共通電極との間にそれぞれに接続された第３スイッチ
とを備える
請求項１０又は１１に記載の表示パネル。
【手続補正２】
【補正対象書類名】明細書
【補正対象項目名】００１１
【補正方法】変更
【補正の内容】
【００１１】
本発明の一の観点では、複数のソース線と複数のソース入力端子とを備え、複数のソース線のそれぞれが複数のソース入力端子のうちのいずれかに接続されるように構成された表示パネルを駆動する表示ドライバが提供される。当該表示ドライバは、表示パネルのソース入力端子に接続されるソース出力端子と、ソース入力端子に供給するソース信号を生成するソースドライバ回路と、入力に接続された導電体の静電容量を検出するように構成された静電容量検出回路の入力に接続される接続配線と、セレクタとを具備する。静電容量検出回路は、検出された静電容量を示し、表示パネルに物体が接触するタッチイベントの検出に用いられる静電容量データを生成する。セレクタは、ソースドライバ回路と接続配線とを含む複数の接続先のうちのいずれかにソース出力端子を選択的に接続可能に構成されている。
【手続補正３】
【補正対象書類名】明細書
【補正対象項目名】００１２
【補正方法】変更
【補正の内容】
【００１２】
本発明の他の観点では、表示装置が、複数のソース線と、複数のソース入力端子とを備える表示パネルと、複数のソース線に供給するソース信号を複数のソース入力端子に供給するソースドライバ回路と、入力に接続された導電体の静電容量を検出し、検出した静電容量を示す静電容量データを生成する静電容量検出回路と、静電容量データに基づいて表示パネルに物体が接触するタッチイベントの検出を行うコントローラと、セレクタとを備えている。セレクタは、複数のソース入力端子のそれぞれを、ソースドライバ回路と静電容量検出回路の入力とを含む複数の接続先に選択的に接続可能に構成されている。
【手続補正４】
【補正対象書類名】明細書
【補正対象項目名】００３５
【補正方法】変更
【補正の内容】
【００３５】
本実施形態では、表示パネル２が、インセル構成の液晶表示パネルとして構成されている。より具体的には、対向基板４２が、複数のＹ検出電極４６を含んでいる。図３に図示されているように、Ｙ検出電極４６は、それぞれがＸ軸方向に延伸するように形成されており、複数のＹ検出電極４６がＹ軸方向に並んで配置されている。Ｙ検出電極４６は、表示パネル２に物体が接触したＹ軸方向の位置を検出するために用いられる。表示ドライバ３は、Ｙ検出電極４６のそれぞれの静電容量を検出し、検出した静電容量に基づいて表示パネル２に物体が接触したＹ軸方向の位置を検出するように構成される。
【手続補正５】
【補正対象書類名】明細書
【補正対象項目名】００３６
【補正方法】変更
【補正の内容】
【００３６】
加えて、共通電極１６が、各画素回路による液晶４３の駆動のみならず、表示パネル２に物体が接触したＸ軸方向の位置を検出するために用いられる。即ち、共通電極１６は、図１に図示されている構成のタッチ検出電極群１４のタッチ検出電極としても用いられる。表示ドライバ３は、共通電極１６に共通電圧ＶＣＯＭを供給すると共に、共通電極１６のそれぞれの静電容量を検出し、検出した静電容量に基づいて表示パネル２に物体が接触したＸ軸方向の位置を検出するように構成される。なお、対向基板４２は、更に他の構成要素、例えば、カラーフィルター及び偏光板を含み得るが、図２、図３には図示されていない。
【手続補正６】
【補正対象書類名】明細書
【補正対象項目名】００５２
【補正方法】変更
【補正の内容】
【００５２】
図４に図示されている表示装置１の構成では、共通電極１６と静電容量検出回路３６とを接続するための専用の外部接続端子を表示パネル２に設ける必要がない。したがって、共通電極１６をタッチ検出電極として用いる構成の表示パネル２の外部接続端子の数を低減することができる。
【手続補正７】
【補正対象書類名】明細書
【補正対象項目名】００６０
【補正方法】変更
【補正の内容】
【００６０】
図７は、表示装置１が、表示ドライバ３とは別に外部タッチコントローラ６１Ａを備えている構成を図示している。図７の構成では、静電容量検出回路３６によって検出された静電容量に基づいて表示パネル２に物体が接触した位置を算出するコントローラ６４が外部タッチコントローラ６１Ａに集積化されている。静電容量検出回路３６と送信側ドライバ３８は、表示ドライバ３に集積化されており、コントローラ６４は、静電容量検出回路３６及び送信側ドライバ３８にデータ／制御バス６４ａを介して接続されている。コントローラ６４は、静電容量検出回路３６によって検出された静電容量（各共通電極１６の静電容量、各Ｙ検出電極４６の静電容量、及び、各共通電極１６と各Ｙ検出電極４６の間の静電容量）を示す静電容量データをデータ／制御バス６４ａを介して静電容量検出回路３６から受け取り、受け取った静電容量データに基づいて（即ち、静電容量検出回路３６によって検出された静電容量に基づいて）表示パネル２に物体が接触した位置を算出する。また、コントローラ６４は、静電容量検出回路３６と送信側ドライバ３８とを制御する制御データをデータ／制御バス６４ａを介して送信する。
【手続補正８】
【補正対象書類名】明細書
【補正対象項目名】００６１
【補正方法】変更
【補正の内容】
【００６１】
図７の構成の表示装置１の動作は、表示ドライバ３のコントローラ３７の代わりに外部タッチコントローラ６１Ａのコントローラ６４によって表示パネル２に物体が接触した位置が算出されることを除けば、図４の構成の表示装置１と同じである。
【手続補正９】
【補正対象書類名】明細書
【補正対象項目名】００６４
【補正方法】変更
【補正の内容】
【００６４】
図９の構成の表示装置１では、駆動動作が行われる場合、表示ドライバ３が下記のように動作する。表示ドライバ３のコントローラ３７は、スイッチ制御信号ｔｏｕｃｈ＿ｓｅｌをネゲートする。スイッチ制御信号ｔｏｕｃｈ＿ｓｅｌのネゲートに応答して、ＶＣＯＭスイッチ回路２１の各スイッチ２７がターンオンされ、これにより、各共通電極１６がＶＣＯＭアンプ３９に接続される。ＶＣＯＭアンプ３９は、各共通電極１６に共通電圧ＶＣＯＭを供給する。一方、セレクタ３５は、コントローラ３７による制御の下、ソース出力端子３１をソースドライバ回路３３の出力に接続する。これにより、表示パネル２の各ソース線１７がソースドライバ回路３３の出力に接続される。ソースドライバ回路３３は、セレクタ３５を介してソース出力端子３１からソース信号を表示パネル２の各ソース線１７に供給する。このような動作により、表示回路１１の各画素回路が駆動される。
【手続補正１０】
【補正対象書類名】明細書
【補正対象項目名】００６５
【補正方法】変更
【補正の内容】
【００６５】
一方、自己容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、ＶＣＯＭスイッチ回路２１の各スイッチ２７がターンオフされる。一方、セレクタ３５は、コントローラ３７による制御の下、ソース出力端子３１を静電容量検出回路３６の入力に接続する。これにより、表示パネル２の各ソース線１７が静電容量検出回路３６の入力に接続される。静電容量検出回路３６は、各ソース線１７と各Ｙ検出電極４６の静電容量を検出し、検出した静電容量を示す静電容量データを生成する。コントローラ３７は、静電容量検出回路３６から受け取った静電容量データに基づいて（即ち、各ソース線１７と各Ｙ検出電極４６の静電容量に基づいて）、タッチイベントの検出を行う。より具体的には、コントローラ３７は、各ソース線１７の静電容量に基づいて表示パネル２に物体が接触したＸ軸方向における位置を算出し、各Ｙ検出電極４６の静電容量に基づいて、表示パネル２に物体が接触したＹ軸方向における位置を算出する。
【手続補正１１】
【補正対象書類名】明細書
【補正対象項目名】００６６
【補正方法】変更
【補正の内容】
【００６６】
また、相互容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、ＶＣＯＭスイッチ回路２１の各スイッチ２７がターンオフされる。一方、セレクタ３５は、コントローラ３７による制御の下、ソース出力端子３１を送信側ドライバ３８の出力に接続する。送信側ドライバ３８は、セレクタ３５を介してソース出力端子３１から駆動電圧を表示パネル２の各ソース線１７に供給する。静電容量検出回路３６は、各ソース線１７と各Ｙ検出電極４６の間の静電容量を検出し、検出した静電容量を示す静電容量データを生成する。コントローラ３７は、静電容量検出回路３６から受け取った静電容量データに基づいて（即ち、各ソース線１７と各Ｙ検出電極４６の間の静電容量に基づいて）、表示パネル２に物体が接触した位置を算出する。
【手続補正１２】
【補正対象書類名】明細書
【補正対象項目名】００７３
【補正方法】変更
【補正の内容】
【００７３】
赤色の副画素の画素回路を駆動する場合、コントローラ３７は、赤色選択信号Ｒ＿ｓｅｌをアサートし、緑色選択信号Ｇ＿ｓｅｌ、青色選択信号Ｂ＿ｓｅｌをネゲートする。これにより、スイッチ３０ｒがターンオンされ、赤色の副画素に対応するソース線１７ｒがソース入力端子１３に接続される。ソースドライバ回路３３は、セレクタ３５を介してソース信号を表示パネル２のソース入力端子１３に供給する。このような動作により、ソース線１７ｒに接続されている画素回路（即ち、赤色の副画素の画素回路）にソース信号が供給される。
【手続補正１３】
【補正対象書類名】明細書
【補正対象項目名】００７７
【補正方法】変更
【補正の内容】
【００７７】
また、相互容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、スイッチ回路１５の各スイッチ１８がターンオンされ、ＶＣＯＭスイッチ回路２１の各スイッチ２７がターンオフされる。これにより、表示パネル２において各共通電極１６がソース入力端子１３に接続される。一方、セレクタ３５は、コントローラ３７による制御の下、ソース出力端子３１を送信側ドライバ３８の出力に接続する。送信側ドライバ３８は、セレクタ３５を介してソース出力端子３１から駆動電圧を表示パネル２の各共通電極１６に供給する。静電容量検出回路３６は、各共通電極１６と各Ｙ検出電極４６の間の静電容量を検出し、検出した静電容量を示す静電容量データを生成する。コントローラ３７は、静電容量検出回路３６から受け取った静電容量データに基づいて（即ち、各共通電極１６と各Ｙ検出電極４６の間の静電容量に基づいて）、表示パネル２に物体が接触した位置を算出する。
【手続補正１４】
【補正対象書類名】明細書
【補正対象項目名】００８１
【補正方法】変更
【補正の内容】
【００８１】
図１３は、図１２に図示されている表示装置１の表示パネル２の構成の詳細を示している。表示パネル２には、各共通電極５１についてコンタクト５２、スイッチ５３、５４が設けられている。コンタクト５２は、対応する共通電極５１に接続されている。加えて、表示パネル２は、インバータ２４とＶＣＯＭライン５５とを備えている。インバータ２４は、その入力がスイッチ制御端子２３に接続されており、スイッチ制御信号ｔｏｕｃｈ＿ｓｅｌの反転信号を生成する。ＶＣＯＭライン５５は、ＶＣＯＭ入力端子２０に接続されている。図１２、図１３に図示されている構成では、ＶＣＯＭライン５５は、Ｙ軸方向に延伸するように設けられている。
【手続補正１５】
【補正対象書類名】明細書
【補正対象項目名】００８８
【補正方法】変更
【補正の内容】
【００８８】
上述のように、共通電極５１が行列に並んで配置されている構成においても、表示装置１が、相互容量方式によるタッチイベントの検出に対応するように構成されてもよい。図１４、図１５は、このような場合の表示装置１の構成を示している。図１４に図示されているように、表示パネル２のＹ検出電極４６は、共通電極５１の各行に対応するように設けられており、対応する行の共通電極５１と交差するように設けられている。加えて、表示ドライバ３に送信側ドライバ３８が設けられる。
【手続補正１６】
【補正対象書類名】明細書
【補正対象項目名】０１０１
【補正方法】変更
【補正の内容】
【０１０１】
また、相互容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、スイッチ回路１５の各スイッチ１８がターンオンされ、ＶＣＯＭスイッチ回路２１の各スイッチ２７がターンオフされる。これにより、表示パネル２において各共通電極５１が対応するソース入力端子１３に接続される。一方、セレクタ３５は、コントローラ３７による制御の下、ソース出力端子３１を送信側ドライバ３８の出力に接続する。送信側ドライバ３８は、セレクタ３５を介してソース出力端子３１から駆動電圧を表示パネル２の各共通電極５１に供給する。静電容量検出回路３６は、各共通電極５１と各Ｙ検出電極４６の間の静電容量を検出し、検出した静電容量を示す静電容量データを生成する。コントローラ３７は、静電容量検出回路３６から受け取った静電容量データに基づいて（即ち、各共通電極５１と各Ｙ検出電極４６の間の静電容量に基づいて）表示パネル２に物体が接触した位置を算出する。